(57)【要約】【課題】  映像・音声信号からなる放送素材を収録し放送するシステムにおいて、多数ある入力回線から回線の選択を行って収録を行う際に、入力切替え装置の入力数不足を解消することができると共に、入力回線選択の操作性の向上を図る。【解決手段】  映像・音声信号からなる放送素材を収録し放送するシステムにおいて、所望の放送素材を収録する放送素材記録装置と、複数の入力回線から所定数の入力回線を選択する第１の入力切替え装置と、該第１の入力切替え装置で選択された所定数の入力回線を含む複数の入力回線から所望の入力回線を選択する第２の入力切替え装置と、上記第１、第２の入力切替え装置を制御すると共に、所望の放送素材の上記放送素材記録装置への収録を制御する収録制御装置を有する放送素材記録制御システムで、複数の入力回線から適切な入力回線を選択し、入力切替え装置を適切に制御することができる。【選択図】  図１
2005295472.tif 000002
【特許請求の範囲】
【請求項１】
映像・音声信号からなる放送素材を収録し放送するシステムにおいて、所望の放送素材を収録する放送素材記録装置と、複数の入力回線から所定数の入力回線を選択する第１の入力切替え装置と、該第１の入力切替え装置で選択された所定数の入力回線を含む複数の入力回線から所望の入力回線を選択する第２の入力切替え装置と、上記第１、第２の入力切替え装置を制御すると共に、所望の放送素材の上記放送素材記録装置への収録を制御する収録制御装置を有することを特徴とする放送素材記録制御システム。
【発明の詳細な説明】
【技術分野】
【０００１】
本発明は、放送用素材をランダムアクセス可能な放送素材記録装置に収録し、自動放送送出システムからの指示によって放送を行うシステムにおいて、放送素材記録装置に放送素材を収録する際に、多数存在する入力回線から適切な入力回線を効率よく選択し、入力切替え装置を適切に制御するための方式である。
【背景技術】
【０００２】
従来システムにおいては、図５に示すように、放送素材記録装置１０２に対して、複数の入力回線の切替え制御を行う入力切替え装置１０１が１台用意されている。  ここで、多数存在する入力回線１０５から、適切な入力回線を選択する場合、図６に示すような、入力回線切替え操作画面２０５において、選択すべき入力信号(放送素材)に対応する入力切替え装置１０１の入力回線名(ここでは、Ｎ１〜Ｎ２０)の選択釦２０１を押し、決定釦２０２により所望の入力信号を選択して、対応する放送素材の記録処理を、順次行う方式が用いられていた。
放送素材の収録制御を行う収録制御装置１０３は、上記操作画面２０５(図６)における指示を受けて、入力切替え装置１０１と放送素材記録装置１０２の制御を実行する。
この収録方式には、開始時刻を予め指定しておき指定された時刻に収録制御装置が自動制御を行う方式と、操作画面から収録開始の操作を行い、収録制御装置が即時制御を行う方式が存在する。(例えば、特許文献１)。
この収録方式に於いては、前述のように、入力回線の選択時に、操作画面に全ての回線名の一覧を表示し、その中から適切な回線名を選択するという操作が必要とされており、入力回線数がそれほど多くない場合は問題にならないものの、入力回線数の増加に伴い、入力選択の効率が低下していた。
【特許文献１】特開２００１−１２６３８２公報
【発明の開示】
【発明が解決しようとする課題】
【０００３】
従来方式においては、入力回線を選択する際に、入力切替え装置の入力回線名称全ての中から入力回線の選択を行っていたが、入力回線数の増加に伴い、１台の入力切替え装置では選択可能な入力回線数が不足すること、及び多数存在する入力回線から使用する回線を選択する際に、使用頻度の低い回線まで全て表示されてしまうため、画面操作性が低下することが問題となっていた。
本発明はこれらの欠点を除去し、多数ある入力回線から回線の選択を行って収録を行う際に、入力切替え装置の入力数不足を解決すると共に、入力回線の選択の操作性を向上することを目的とする。
【課題を解決するための手段】
【０００４】
本発明は上記の目的を達成するため、映像・音声信号からなる放送素材を収録し放送するシステムにおいて、複数段設置された入力切替え装置を制御することにより、多数存在する入力回線から適切な入力回線を効率よく選択する放送素材収録制御システムである。
入力回線数の不足に関しては、入力切替え装置を２段階に配置することにより解決を図る。
【発明の効果】
【０００５】
本発明により、多数ある入力回線から回線の選択を行って収録を行う際に、入力切替え装置の入力数不足を解消することができると共に、入力回線の選択の操作性を向上することができる。
【発明を実施するための最良の形態】
【０００６】
以下、図１〜図４を用いて、本発明を詳細に説明する。図１は、２台の入力切替え装置３０１，３０１’を収録制御装置３０３で制御する構成を例として説明する。
収録制御装置３０３は、入力回線の制御時に、入力切替え装置３０１，３０１’を同時に制御することにより、収録すべき放送素材に対応する入力回線の選択を行う。
ここで、入力切替え装置３０１，３０１’が共に１２８入力可能な切替え装置であり、入力切替え装置３０１から入力切替え装置３０１’への出力が４出力である場合は、合計２５２入力が選択可能となる。但し、入力切替え装置３０１から同時に選択可能な回線数は４回線となるため、システムの運用形態に合わせて入力切替え装置３０１から入力切替え装置３０１’への出力数を調整する必要がある。また、入力切替え装置３０１から入力切替え装置３０１’に入力する回線は、入力切替え装置３０１’に直接入力する回線よりも使用頻度の低い回線となるようにする。
【０００７】
また、入力回線の選択時においては、図３に示す様に、入力回線切替え操作画面５０５には、入力切替え装置３０１，３０１’から入力する回線名(ここでは、Ｎ１〜Ｎ２０)の内、使用頻度の低い回線名(ここでは、Ｎ１０〜Ｎ２０)を非表示とすることにより、画面操作性の向上を図る。そして、非表示とされた回線名(Ｎ１０〜Ｎ２０)については、代表回線名(以下「ＭＡＮＵ」と表記する)の選択釦５０１を用意し、選択釦５０１を押すことにより、「ＭＡＮＵ」回線が選択された場合は、収録制御装置３０３は、入力切替え装置３０１’のみの制御を行い、制御実行時に入力切替え装置３０１’のどの入力が使用されているかを操作画面５０５に通知し、操作者が入力切替え装置３０１を直接操作して使用する回線を決定する。
【０００８】
即ち、図１では、放送素材記録装置３０２の前段にある入力切替え装置を、入力切替え装置３０１と入力切替え装置３０１’の２段階に分けた構成とする。  そして、収録制御装置３０３は、入力切替え装置３０１’の入力回線が指定された場合は、入力切替え装置３０１’のみの制御をすることにより、また、入力切替え装置３０１の入力回線が指定された場合は、入力切替え装置３０１と３０１’を同時に制御することにより、入力回線の選択を行う。  但し、同時刻に収録が行われる回線数が、入力切替え装置３０１から入力切替え装置３０１’へ入力する回線数より多くなってしまう場合は制御不可であるので、この場合、操作画面５０５にアラームが通知される。
【０００９】
次に、選択する入力回線として、使用頻度の低い回線である「ＭＡＮＵ」が指定された場合について、図２、図４を用いて説明する。
選択する入力回線として、使用頻度の低い回線である「ＭＡＮＵ」が指定された場合であって、自動制御方式により、収録時刻の一定時間前に自動収録開始制御を行う場合は、入力切替え装置４０１から入力切替え装置４０１’への出力列（以下「ＢＮＫ１」〜「ＢＮＫ４」と表記する）の内、現在使用されていない出力列(例えば４０５”)の制御を行い、同時にどの出力列を使用しているかを、図４に示すような操作画面６０５に通知する。
【００１０】
操作者は、通知された「ＢＮＫ１」〜「ＢＮＫ４」に対して、入力切替え装置４０１を直接操作することにより、入力回線(ここでは、４０５)を決定する。
また、手動制御方式により時刻を指定せずに即時収録開始の制御を行う場合は、上記「ＭＡＮＵ」指定の方式では、入力回線を切替える前に収録制御が始まってしまう可能性があるため、操作画面で「ＢＮＫ１」〜「ＢＮＫ４」を直接指定する方式を使用する。
例えば、操作画面６０５(図４)で指定した「ＢＮＫ１」〜「ＢＮＫ４」に対して、入力切替え装置４０１の直接操作により入力回線を決定し、その後収録開始の操作を行うことにより、収録制御装置４０３は入力切替え装置４０１’の制御のみを行い「ＢＮＫ１」〜「ＢＮＫ４」の回線を取得後、収録制御を開始する。
【図面の簡単な説明】
【００１１】
【図１】本発明の一構成例を示すブロック構成図
【図２】本発明の他の構成例を示すブロック構成図
【図３】本発明による入力回線選択の操作画面の一例を示す模式図
【図４】本発明による入力回線選択の操作画面の他の例を示す模式図
【図５】従来の入力回線選択の操作画面の一例を示す模式図
【図６】本発明による入力回線選択の操作画面の他の例を示す模式図
【符号の説明】
【００１２】
３０１，３０１’，４０１，４０１’：入力切替え装置、３０２，４０２：放送素材記録装置、３０３，４０３：収録制御装置、３０５，３０５’，３０５”，４０５，４０５’，４０５”：入力回線、２０１，５０１：選択釦、２０２：入力回線決定釦、２０３：キャンセル釦。
【図１】
2005295472.tif 000003
【図２】
2005295472.tif 000004
【図３】
2005295472.tif 000005
【図４】
2005295472.tif 000006
【図５】
2005295472.tif 000007
【図６】
2005295472.tif 000008